(57)【要約】【課題】携帯機が着脱可能な無線通信装置において動作モードを切り替える際のユーザ負担を低減する。【解決手段】半固定モード中に設定値が変更された場合は、半固定本体部３２０のメモリ３２２内の設定値を更新すると共に無線機３１０のメモリ３１４内の設定値を更新する処理を行う。携帯モード中に設定値が変更された場合は、携帯機３１０のメモリ３１４内の設定値を更新し、携帯機３１４を脱着式半固定局３００に取り付けた際に携帯機３１０のメモリ３１４内の設定値を半固定本体部３２０に転送して半固定本体部３２０のメモリ３２２内の設定値を更新する処理を行う。半固定モードと携帯モードで適切な設定値が異なる所定の設定項目については、半固定モードから携帯モードへ切り替える際に携帯モードに適した設定値に変更し、携帯モードから半固定モードへ切り替える際に前回の半固定モード時の設定値に戻す。【選択図】図３
2018207266.tif 000002
【特許請求の範囲】
【請求項１】
携帯機が脱着可能な無線通信装置において、
前記無線通信装置及び前記携帯機の各々が、装置動作に関する設定値を記憶するメモリを備え、
前記携帯機を取り付けられた前記無線通信装置が、前記無線通信装置のメモリ内の設定値に基づいて、前記携帯機を無線部として動作させて無線通信を行う半固定モードと、前記無線通信装置から取り外された前記携帯機が、前記携帯機のメモリ内の設定値に基づいて、無線通信を行う携帯モードとを有し、
前記半固定モード中に前記無線通信装置で設定値が変更された場合は、前記無線通信装置のメモリ内の設定値を更新すると共に前記無線機のメモリ内の設定値を更新する処理を行い、前記携帯モード中に前記携帯機で設定値が変更された場合は、前記携帯機のメモリ内の設定値を更新し、前記携帯機を前記無線通信装置に取り付けた際に前記携帯機のメモリ内の設定値を前記無線通信装置に転送して前記無線通信装置のメモリ内の設定値を更新する処理を行うことで、前記無線通信装置と前記携帯機で各々のメモリ内の設定値を同期させ、
前記半固定モードと前記携帯モードで適切な設定値が異なる所定の設定項目については、前記半固定モードから前記携帯モードへ切り替える際に前記携帯モードに適した設定値に変更し、前記携帯モードから前記半固定モードへ切り替える際に前回の前記半固定モード時の設定値に戻すことを特徴とする無線通信装置。
【請求項２】
請求項１に記載の無線通信装置において、
前記所定の設定項目として、無線関連の設定を含み、
前記半固定モードから前記携帯モードへ切り替える際に、前記無線関連の設定については、基地局を自動で探知し、基地局波を使用した通信だけを待ち受ける設定値に変更することを特徴とする無線通信装置。
【請求項３】
請求項１又は請求項２に記載の無線通信装置において、
前記所定の設定項目として、ユーザ設定を含み、
前記半固定モードから前記携帯モードへ切り替える際に、前記ユーザ設定については、ユーザに着信が通知されにくくなることを防ぐための設定値に変更することを特徴とする無線通信装置。
【請求項４】
請求項１乃至請求項３のいずれかに記載の無線通信装置において、
前記所定の設定項目として、消費電力関連の設定を含み、
前記半固定モードから前記携帯モードへ切り替える際に、前記消費電力関連の設定については、消費電力を抑える設定値に変更することを特徴とする無線通信装置。
【発明の詳細な説明】
【技術分野】
【０００１】
本発明は、携帯機が着脱可能な無線通信装置に関し、特に、半固定モードと携帯モードとを有する無線通信装置に関する。
【背景技術】
【０００２】
例えば、都道府県・市町村デジタル移動通信システム（ＡＲＩＢ  ＳＴＤ−Ｔ７９）は、一自治体（都道府県又は市町村）を基本単位として、統制局、基地局、固定局及び移動局といった設備で構成され、統制局−移動局（又は固定局）間、あるいは移動局（又は固定局）−移動局間（又は固定局）で、基地局経由で又は直接に通信を行う。
【０００３】
このようなシステムの移動局としては、半固定局、車載局、携帯局（以下、「携帯機」と呼ぶ）がある。半固定局とは、市役所や病院等の建物内に平常時は固定設置しておくが、非常時には移動して使用できる移動局のことである。半固定局を含むデジタル移動通信システムに関しては、例えば特許文献１に開示されている。
【０００４】
従来、半固定局と携帯機は、使用用途や期待される動作が異なるため、別装置で構成されていた。
図１には、従来例に係る半固定局１００の概略的な構成例を示してある。半固定局１００は、無線部１０１と、制御部１０２と、操作部１０５と、バッテリ１０６とを備える。図２には、従来例に係る携帯機２００の概略的な構成例を示してある。携帯機２００は、無線部２０１と、制御部２０２と、操作部２０５と、バッテリ２０６とを備える。
【０００５】
このように、半固定局１００及び携帯機２００ともに、装置構成としては、無線部、制御部、操作部が一体となっている。半固定局１００の制御部１０２は、ＣＰＵ１０３及びメモリ１０４を有し、メモリ１０４上に着信音量や電話帳等のデータを含む各種の設定値が記憶される。同様に、携帯機２００の制御部２０２は、ＣＰＵ２０３及びメモリ２０４を有し、メモリ２０４上に上記各種の設定値が記憶される。
【０００６】
半固定局１００は、安定した電波環境（基地局から送信される電波のエラーが少ない環境）である場所に平常時は固定設置され、ＦＡＸ４０１や電話機４０２といった付加装置が接続される。また、固定設置されている場合は、ＡＣ電源に接続して使用されるため、消費電力を気にする必要はない。また、非常時には電源なしでも動作できるように半固定局用のバッテリ１０６を搭載しており、バッテリ動作の際にはバッテリを長持ちさせるために消費電力を抑える必要がある。
携帯機２００は、作業者が手に持ち、移動しながら使用できる端末である。これも、半固定局１００を移動して使用する場合と同様に、携帯機用のバッテリ２０６により動作するため、バッテリを長持ちさせるために消費電力を抑える必要がある。
【先行技術文献】
【特許文献】
【０００７】
【特許文献１】特開２０１３−９３６７８号公報
【発明の概要】
【発明が解決しようとする課題】
【０００８】
半固定局１００と携帯機２００は、前述したように、使用用途や期待される動作が異なるため、それぞれ別装置として構成される。携帯機２００は簡単に持ち運べるメリットがあり、半固定局１００はＦＡＸ４０１や電話機４０２といった付加装置を接続できるメリットがある。このような中、１台で半固定局１００と携帯機２００のそれぞれのメリットを併せ持つ「脱着式半固定局」が考えられた。
【０００９】
脱着式半固定局は、着脱自在な携帯機を備えた無線通信装置であり、携帯機を装置本体に取り付けて半固定局の無線部として動作させる半固定モードと、携帯機を装置本体から取り外して移動局として動作させる携帯モードとを有する。脱着式半固定局は、半固定モードでは本体側のメモリ内の設定値に基づいて動作する一方、携帯モードでは携帯機側のメモリ内の設定値に基づいて動作する。
【００１０】
本体側のメモリ内の設定値と携帯機側のメモリ内の設定値について、互いに同じ設定値となるように同期させると、一方の動作モード時に設定したデータを他方の動作モードでも使用することが可能となり、脱着式半固定局の利便性が高められる。しかしながら、一方の動作モードには適するが他方の動作モードには適さないような装置設定も引き継がれてしまうため、動作モードの切り替え後にユーザが手動で装置設定を変更する必要があった。
【００１１】
本発明は、上記のような従来の事情に鑑みて為されたものであり、携帯機が着脱可能な無線通信装置において動作モードを切り替える際のユーザ負担を低減することを目的とする。
【課題を解決するための手段】
【００１２】
上記の目的を達成するために、本発明では、無線通信装置を以下のように構成した。
本発明に係る無線通信装置は、携帯機が脱着可能であり、無線通信装置及び携帯機の各々が、装置動作に関する設定値を記憶するメモリを備え、携帯機を取り付けられた無線通信装置が、無線通信装置のメモリ内の設定値に基づいて、携帯機を無線部として動作させて無線通信を行う半固定モードと、無線通信装置から取り外された携帯機が、携帯機のメモリ内の設定値に基づいて、無線通信を行う携帯モードとを有する。半固定モード中に無線通信装置で設定値が変更された場合は、無線通信装置のメモリ内の設定値を更新すると共に無線機のメモリ内の設定値を更新する処理を行い、携帯モード中に携帯機で設定値が変更された場合は、携帯機のメモリ内の設定値を更新し、携帯機を無線通信装置に取り付けた際に携帯機のメモリ内の設定値を無線通信装置に転送して無線通信装置のメモリ内の設定値を更新する処理を行うことで、無線通信装置と携帯機で各々のメモリ内の設定値を同期させる。そして、半固定モードと携帯モードで適切な設定値が異なる所定の設定項目については、半固定モードから携帯モードへ切り替える際に携帯モードに適した設定値に変更し、携帯モードから半固定モードへ切り替える際に前回の半固定モード時の設定値に戻すことを特徴とする。
【００１３】
このような構成により、一方の動作モード時に設定したデータを他方の動作モードでも使用することが可能となるだけでなく、半固定モードと携帯モードで適切な設定値が異なる所定の設定項目については、各々の動作モードに適した設定値に自動的に変更することができる。したがって、携帯機が着脱可能な無線通信装置において動作モードを切り替える際のユーザ負担を低減することが可能となる。
【００１４】
より具体的には、例えば、所定の設定項目として、無線関連の設定を含み、半固定モードから携帯モードへ切り替える際に、無線関連の設定については、基地局を自動で探知し、基地局波を使用した通信だけを待ち受ける設定値に変更する構成とすることができる。
【００１５】
また、例えば、所定の設定項目として、ユーザ設定を含み、半固定モードから携帯モードへ切り替える際に、ユーザ設定については、ユーザに着信が通知されにくくなることを防ぐための設定値に変更する構成とすることができる。
【００１６】
また、例えば、所定の設定項目として、消費電力関連の設定を含み、半固定モードから携帯モードへ切り替える際に、消費電力関連の設定については、消費電力を抑える設定値に変更する構成とすることができる。
【発明の効果】
【００１７】
本発明によれば、携帯機が着脱可能な無線通信装置において動作モードを切り替える際のユーザ負担を低減することができる。
【図面の簡単な説明】
【００１８】
【図１】従来例に係る半固定局の概略的な構成例を示す図である。
【図２】従来例に係る無線機の概略的な構成例を示す図である。
【図３】本発明に係る脱着式半固定局の概略的な構成例であって、携帯機を取り外した状態を示す図である。
【図４】本発明に係る脱着式半固定局の概略的な構成例であって、携帯機を取り付けた状態を示す図である。
【図５】本発明に係る脱着式半固定局において、半固定本体部から携帯機へ設定値を移行する際のシーケンス例を示す図である。
【図６】本発明に係る脱着式半固定局において、半固定モード中に設定値を変更した際の処理のフロー例を示す図である。
【図７】本発明に係る脱着式半固定局において、携帯機を取り外した際の処理のフロー例を示す図である。
【図８】本発明に係る脱着式半固定局において、携帯機から半固定本体部へ設定値を移行する際のシーケンス例を示す図である。
【図９】本発明に係る脱着式半固定局において、携帯機を取り付けた際の処理のフロー例を示す図である。
【発明を実施するための形態】
【００１９】
以下、本発明の一実施形態について、図面を参照して説明する。
図３，４には、着脱自在な携帯機３１０を備えた脱着式半固定局３００の概略的な構成例を示してある。図３は、携帯機３１０を取り外した状態を示しており、図４は、携帯機３１０を取り付けた状態を示している。脱着式半固定局３００は、例えば、移動可能な車両に配備される車携帯として実現されるが、所定の拠点に配備されてもよく、種々の態様で実現することができる。
【００２０】
脱着式半固定局３００は、半固定局の無線部として機能する携帯機３１０と、半固定局の制御部として機能する半固定本体部３２０と、操作部３２３と、バッテリ３２４とを備える。携帯機３１０は、無線部３１１と、制御部３１２と、操作部３１５と、バッテリ３１６とを備える。半固定本体部３２０は、ＣＰＵ３２１及びメモリ３２２を有し、メモリ３２２に着信音量や電話帳等のデータを含む各種の設定値が記憶される。同様に、携帯機３１０の制御部３１２は、ＣＰＵ３１３及びメモリ３１４を有し、メモリ３１４にも上記各種の設定値が記憶される。携帯機３１０は、半固定局の無線部として機能するだけでなく、脱着式半固定局３００から取り外して移動局として使用することができる。
【００２１】
本例では、携帯機３１０と半固定本体部３２０の間において、携帯機３１０を半固定本体部３２０に取り付けた際に有効となるよう設定された近距離無線通信（例えば、Ｂｌｕｅｔｏｏｔｈ（登録商標））を用いてデータの送受信を行っている。なお、携帯機３１０と半固定本体部３２０をコネクタ等で接続してデータの送受信を行うなど、他の手法によりデータの送受信を行っても構わない。
【００２２】
脱着式半固定局３００は、前述したように、以下の２つの動作モードを有する。
（１）携帯モード
携帯機３１０を半固定本体部３２０（装置本体）から取り外した場合の動作モードであり、携帯機３１０が、自身のメモリ３２２内の設定値に基づいて無線通信を行う（図３）。ユーザは、携帯機３１０の操作部３１５を使用して通信できる。すなわち、携帯機３１０を、半固定本体部３２０から取り外して移動局として使用できる。但し、脱着式半固定局３００は通信を行えず、付加装置（ＦＡＸ４０１や電話機４０２）も通信できない状態となる。
【００２３】
（２）半固定モード
携帯機３１０を装置本体に取り付けた場合の動作モードであり、脱着式半固定局３００が、自身のメモリ３２２内の設定値に基づいて、携帯機３１０を無線部として動作させて無線通信を行う（図４）。ユーザは、脱着式半固定局３００の操作部３２３を使用して通信できる。すなわち、脱着式半固定局３００は、携帯機３１０を含む装置全体で半固定局として動作する。また、付加装置（ＦＡＸ４０１や電話機４０２）を使用した通信も行える。なお、携帯機３１０の操作部３１５や制御部３１２は無効となる。
【００２４】
このような構成の脱着式半固定局を携帯モード時と半固定モード時に同じ装置設定で使用する際の問題点及びその対処について説明する。
【００２５】
［Ａ］半固定モードから携帯モードに切り替える場合について
半固定モードから携帯モードに切り替える場合（携帯機を取り外す場合）の問題点及びその対処について説明する。半固定モードから携帯モードに切り替える場合において、半固定モード時と同じ装置設定で携帯モードを動作させると、以下のような問題が生ずる。
【００２６】
（ａ１）消費電力問題
脱着式半固定局は通常ＡＣ電源に接続された状態で使用されるため、消費電力を抑えることより使い勝手の良さを優先した表示や音量等の設定となっている。そのため、以下のような半固定モード時の設定をそのまま携帯モードで使用すると、バッテリを多く消費してしまう。
・バックライト設定：常時ＯＮ（常に画面が見やすいようにＬＣＤバックライトを常にＯＮにする設定であるため、消費電力が高い）
・送信出力設定：ＨＩＧＨ（送信出力値を高くして送信範囲を広くする設定であるため、消費電力が高い）
【００２７】
（ａ２）無線問題
半固定モード時の設定をそのまま携帯機で使用すると、受信可能な基地局波を受信できない可能性がある。例えば、以下の設定時に問題が生じる。
・受信基地局設定：固定（特定の基地局を受信する固定設定のままだと、持ち運び時に他の基地局波を受信できない）
・待受設定：直接波（通常、起動時は基地局通信を使用することが多いため、直接波だけを待ち受ける設定のままだと基地局波を受信できない）
【００２８】
（ａ３）ユーザ使用上問題
半固定モード時の設定をそのまま携帯機で使用すると、ユーザの使い勝手が悪い状況になってしまう。例えば、以下の設定時に問題が生じる。
・不在設定：ＯＮ（不在設定ＯＮだと、通常着信しない）
・着信音量設定：最小（着信音が小さいため、着信に気付かない可能性がある）
【００２９】
（ａ４）データ引き継ぎ問題
携帯機及び半固定本体部は、各々のメモリに以下のようなデータを持つ。
・電話帳
・発着信履歴
・送受信メール
・音声録音メモ（伝言録音・通話録音・待受録音）
携帯モードでは携帯機側のメモリが持つ各データを使用し、半固定モードでは装置本体側のメモリが持つ各データを使用する。そのため、半固定モードから携帯モードに切り替える場合には、半固定モードで使用していたデータをそのまま携帯モードでも使用できるようにするために、装置本体側のメモリから携帯機側のメモリへ各データを移行する必要がある。
【００３０】
上記のような問題に対処すべく、本例では、脱着式半固定局３００を以下のように動作させる構成とした。
図５には、半固定本体部３２０から携帯機３１０へ設定値を移行する際のシーケンス例を示してある。ここで、携帯機３１０は、操作部３１５の表示や操作に関する制御を行う操作部タスクと、半固定本体部３２０との間で通信する携帯管理部タスクとを有し、各タスクはメモリ３１４に格納されたプログラムをＣＰＵ３１３で実行することで実現される。また、半固定本体部３２０は、操作部３２３の表示や操作に関する制御を行う操作部タスクと、携帯機３１０との間で通信する携帯管理部タスクとを有し、各タスクはメモリ３２２に格納されたプログラムをＣＰＵ３２１で実行することで実現される。
【００３１】
（手順１；Ｔ１０１）ユーザが、装置本体側の操作部３２３により設定値を変更する操作を行う。
（手順２；Ｔ１０２）半固定本体部３２０の操作部タスクが、変更後の設定値を半固定本体部３２０のメモリ３２２に書き込む。
（手順３；Ｔ１０３）半固定本体部３２０の操作部タスクが、半固定本体部３２０の携帯管理部タスクへ設定値書込完了通知を送信する。
（手順４；Ｔ１０４）半固定本体部３２０の携帯管理部タスクが、半固定本体部３２０のメモリ３２２から変更後の設定値を読み込む。
（手順５；Ｔ１０５）半固定本体部３２０の携帯管理部タスクが、読み込んだ設定値を携帯機３１０へ転送する。
（手順６；Ｔ１０６）携帯機３１０の携帯管理部タスクが、半固定本体部３２０から転送された設定値を携帯機３１０のメモリ３１４に書き込む。
【００３２】
図６には、半固定モード中に設定値を変更した際の処理のフロー例を示してある。
脱着式半固定局３００の制御部（半固定本体部）３２０は、半固定モードの待受状態において設定値を変更する操作を検出すると（ステップＳ１０１）、設定値が変わったかどうかをチェックし（ステップＳ１０２）、設定値が変わっていれば携帯機３１０の設定値へ同じ値を書き込む（ステップＳ１０３）。
【００３３】
以上の処理により、半固定モード中に装置本体側で設定値が変更された際に、半固定本体部３２０のメモリ３２２内の設定値が更新されるだけでなく、無線機３１０のメモリ３１４内の設定値も更新される。このため、半固定モードと携帯モードで共有すべきデータ（例えば、電話帳、発着信履歴、送受信メール、音声録音メモ）が半固定モード中に変更された場合に、半固定本体部３２０から携帯機３１０を取り外して携帯モードに移行しても、そのデータを引き続き使用することができる。
【００３４】
図７には、半固定本体部３２０から携帯機３１０を取り外した際（携帯モードに切り替える際）の処理のフロー例を示してある。
携帯機３１０の制御部３１０は、半固定本体部３２０からの取り外しを検出すると（ステップＳ２０１）、以下の処理を行う。
すなわち、消費電力関連設定が携帯モードに適した設定値かどうかチェックし（ステップＳ２０２）、適していればそのまま変更せず、適していなければ携帯モードに適した設定値に変更する（ステップＳ２０３）。消費電力関連設定としては、例えば、バックライト設定、送信出力設定が挙げられる。
また、無線関連設定が携帯モードに適した設定値かどうかチェックし（ステップＳ２０４）、適していればそのまま変更せず、適していなければ携帯モードに適した設定値に変更する（ステップＳ２０５）。無線関連設定としては、例えば、受信基地局設定、待受設定が挙げられる。
また、ユーザ設定が携帯モードに適した設定値かどうかチェックし（ステップＳ２０６）、適していればそのまま変更せず、適していなければ携帯モードに適した設定値に変更する（ステップＳ２０７）。ユーザ設定としては、例えば、不在設定、着信音量設定が挙げられる。
その後、携帯機３１０は、携帯モードの待受状態に移行する。
【００３５】
以上の処理により、半固定モードから携帯モードに切り替える場合（半固定本体部３２０から携帯機３１０を取り外す場合）に、半固定モードと携帯モードで適切な設定値が異なる所定の設定項目（本例では、バックライト設定、送信出力設定、受信基地局設定、待受設定、不在設定、着信音量設定）を、携帯モードに適した設定値に自動的に変更することができる。
【００３６】
半固定モードから携帯モードに切り替える場合について、上記の問題点毎に、各設定値の具体例を以下に示す。
（ａ１）消費電力問題
以下のように自動的に設定し、消費電力を低減する。
・バックライト設定：自動（自動で使用時はＯＮ、未使用時はＯＦＦにするため、消費電力を低減できる）
・送信出力設定：ＬＯＷ（送信出力値を低い設定にするため、消費電力を低減できる）
【００３７】
（ａ２）無線問題
以下のように自動的に設定し、基地局波を受信できるようにする。
・受信基地局設定：自動（携帯モード時は持ち運んで移動するため、受信可能な基地局を自動で探知する設定にする）
・待受設定：基地局波（携帯モード時に受信できることが必要とされる基地局波を使用した通信だけを待ち受ける設定にする）
【００３８】
（ａ３）ユーザ使用上問題
以下のように自動的に設定し、ユーザに着信が通知されにくくなることを防ぐため、即時使用しやすくする。
・不在設定：ＯＦＦ（常に通常着信するため、即時使用しやすい）
・着信音量：中央値（中央値なら音が聞こえやすいため、即時使用しやすい）
【００３９】
（ａ４）データ引き継ぎ問題
半固定モード中に追加した以下のデータが、半固定本体部から携帯機に移行される。
・電話帳
・発着信履歴
・送受信メール
・音声録音メモ（伝言録音・通話録音・待受録音）
【００４０】
以上のように、本例の脱着式半固定局３００では、半固定モード中に脱着式半固定局３００で設定値が変更された場合は、半固定本体部３２０のメモリ３２２内の設定値を更新すると共に無線機３１０のメモリ３１４内の設定値を更新する処理を行い、更に、半固定モードと携帯モードで適切な設定値が異なる所定の設定項目については、半固定モードから携帯モードへ切り替える際に携帯モードに適した設定値に変更することで、上記の各問題点を解決している。
【００４１】
［Ｂ］半固定モードから携帯モードに切り替える場合について
次に、携帯モードから半固定モードに切り替える場合（携帯機を取り付ける場合）の問題点及びその対処について説明する。携帯モードから半固定モードに切り替える場合において、携帯モード時と同じ装置設定で半固定モードを動作させると、以下のような問題が生ずる。
【００４２】
（ｂ１）無線問題
以下の設定を携帯モード時に変更したままの設定で脱着式半固定局で使用すると、受信したい／受信設定していた基地局波もしくは直接波を受信できない可能性がある。
・受信基地局設定：携帯モード時に変更した設定
・待受設定：携帯モード時に変更した設定
【００４３】
（ｂ２）ユーザ使用上問題
以下の設定を携帯モード時に変更したままの設定で脱着式半固定局で使用すると、ユーザの使い勝手が悪い状況になってしまう可能性がある。
・不在設定：携帯モード時に変更した設定
・着信音量設定：携帯モード時に変更した設定
【００４４】
（ｂ３）データ引き継ぎ問題
携帯機及び半固定本体部は、各々のメモリに以下のようなデータを持つ。
・電話帳
・発着信履歴
・送受信メール
・音声録音メモ（伝言録音・通話録音・待受録音）
携帯モードでは携帯機のメモリが持つ各データを使用し、半固定モードでは半固定本体部のメモリが持つ各データを使用する。そのため、携帯モードから半固定モードに切り替えた場合には、携帯モードで使用していたデータをそのまま半固定モードでも使用するために、携帯機のメモリから装置本体側のメモリへ各データを移行する必要がある。
【００４５】
上記のような問題に対処すべく、本例では、脱着式半固定局３００を以下のように動作させる構成とした。
図８には、携帯機３１０から半固定本体部３２０へ設定値を移行する際のシーケンス例を示してある。ここで、図５を参照して説明したように、携帯機３１０及び半固定部３２０は、それぞれ、操作部タスクと携帯管理部タスクとを有する。なお、携帯モード中に携帯機３１０で設定値が変更された場合は、携帯機３１０のメモリ３１４内の設定値が更新される。
【００４６】
（手順１；Ｔ２０１）ユーザが、携帯機３１０を半固定本体部３２０に接続する（装置本体に取り付ける）。
（手順２；Ｔ２０２）携帯機３１０の携帯管理部タスクが、携帯機３１０のメモリ３１４から設定値を読み込む。
（手順３；Ｔ２０３）携帯機３１０の携帯管理部タスクが、読み込んだ設定値を半固定本体部３２０へ転送する。
（手順４；Ｔ２０４）半固定本体部３２０の携帯管理部タスクが、携帯機３１０から転送された設定値を半固定本体部３２０のメモリ３２２に書き込む。
携帯機３１０の設定値が半固定本体部３２０に移行された後は、脱着式半固定局３００に半固定モードの待受画面が表示される。なお、携帯機３１０から半固定本体部３２０へのデータ移行中は、データ移行の進行状況を示す内容を画面に表示することが好ましい。
【００４７】
図９には、半固定本体部３２０に携帯機３１０を取り付けた際（半固定モードに切り替える際）の処理のフロー例を示してある。
脱着式半固定局３００の制御部（半固定本体部）３２０は、携帯機３１０の接続を検出すると（ステップＳ３０１）、以下の処理を行う。
すなわち、消費電力関連設定が前回の半固定モード時の設定値と同じかどうかチェックし（ステップＳ３０２）、前回の半固定モード時と同じであればそのまま変更せず、異なっていれば前回の半固定モード時の設定値に戻す（ステップＳ３０３）。消費電力関連設定としては、例えば、バックライト設定、送信出力設定が挙げられる。
また、無線関連設定が前回の半固定モード時の設定値と同じかどうかチェックし（ステップＳ３０４）、前回の半固定モード時と同じであればそのまま変更せず、異なっていれば前回の半固定モード時の設定値に戻す（ステップＳ３０５）。無線関連設定としては、例えば、受信基地局設定、待受設定が挙げられる。
また、ユーザ設定が前回の半固定モード時の設定値と同じかどうかチェックし（ステップＳ３０６）、前回の半固定モード時と同じであればそのまま変更せず、異なっていれば前回の半固定モード時の設定値に戻す（ステップＳ３０７）。ユーザ設定としては、例えば、不在設定、着信音量設定が挙げられる。
また、携帯モード中に変更された電話帳・発着信履歴・送受信メール・音声録音メモがあるかどうかチェックし（ステップＳ３０８）、変更されたデータがあれば携帯機３１０から半固定本体部３２０に移行する（ステップＳ３０９）。
その後、脱着式半固定局３００は半固定モードの待受状態に移行する。
【００４８】
以上の処理により、携帯モードから半固定モードに切り替える場合（半固定本体部３２０に携帯機３１０を取り付ける場合）に、携帯機３１０のメモリ３１４内の設定値が半固定本体部３２０に転送され、半固定本体部３２０のメモリ３２２の設定値が更新される。このため、半固定モードと携帯モードで共有すべきデータ（例えば、電話帳、発着信履歴、送受信メール、音声録音メモ）が携帯モード中に変更された場合に、半固定本体部３２０に携帯機３１０を取り付けて半固定モードに移行しても、そのデータを引き続き使用することができる。また、半固定モードと携帯モードで適切な設定値が異なる所定の設定項目（本例では、バックライト設定、送信出力設定、受信基地局設定、待受設定、不在設定、着信音量設定）を、半固定モードに適した設定値に自動的に戻すことができる。
【００４９】
半固定モードから携帯モードに切り替える場合について、上記の問題点毎に、各設定値の具体例を以下に示す。
（ｂ１）無線問題
以下のように自動的に設定し、前回の半固定モード時に受信していた通信波を受信できるようにする。
・受信基地局設定：前回の半固定モード時の設定に戻す
・待受設定：前回の半固定モード時の設定に戻す
【００５０】
（ｂ２）ユーザ使用上問題
以下のように自動的に設定し、前回の半固定モード時に使用していた設定に戻すことで即時使用しやすくする。
・不在設定：前回の半固定モード時の設定に戻す
・着信音量：前回の半固定モード時の設定に戻す
【００５１】
（ｂ３）データ引き継ぎ問題
半固定モード中に追加した以下のデータを、携帯機から半固定本体部に移行する。
・電話帳
・発着信履歴
・送受信メール
・音声録音メモ（伝言録音・通話録音・待受録音）
【００５２】
以上のように、本例の脱着式半固定局３００では、携帯モード中に携帯機３１０で設定値が変更された場合は、携帯機３１０のメモリ３１４内の設定値を更新し、携帯機３１０を脱着式半固定局３００に取り付けた際に携帯機３１０のメモリ内の設定値を半固定本体部３２０に転送して半固定本体部３２０のメモリ３２２内の設定値を更新する処理を行い、更に、半固定モードと携帯モードで適切な設定値が異なる所定の設定項目については、携帯モードから半固定モードへ切り替える際に前回の半固定モード時の設定値に戻すことで、上記の各問題点を解決している。
【００５３】
上記の実施例で説明した構成をまとめると、本例の脱着式半固定局３００は、携帯機３１０が脱着可能であり、半固定本体部３２０及び携帯機３１０の各々が、装置動作に関する設定値を記憶するメモリ（３２２，３１４）を備え、携帯機３１０を取り付けられた脱着式半固定局３００が、半固定本体部３２０のメモリ３２２内の設定値に基づいて、携帯機３１０を無線部として動作させて無線通信を行う半固定モードと、脱着式半固定局３００から取り外された携帯機３１０が、携帯機３１０のメモリ３１４内の設定値に基づいて、無線通信を行う携帯モードとを有する。半固定モード中に脱着式半固定局３００で設定値が変更された場合は、半固定本体部３２０のメモリ３２２内の設定値を更新すると共に無線機３１０のメモリ３１４内の設定値を更新する処理を行い、携帯モード中に携帯機３１０で設定値が変更された場合は、携帯機３１０のメモリ３１４内の設定値を更新し、携帯機３１４を脱着式半固定局３００に取り付けた際に携帯機３１０のメモリ３１４内の設定値を半固定本体部３２０に転送して半固定本体部３２０のメモリ３２２内の設定値を更新する処理を行うことで、着式半固定局３００と携帯機３１０で各々のメモリ内の設定値を同期させる。そして、半固定モードと携帯モードで適切な設定値が異なる所定の設定項目については、半固定モードから携帯モードへ切り替える際に携帯モードに適した設定値に変更し、携帯モードから半固定モードへ切り替える際に前回の半固定モード時の設定値に戻す。
【００５４】
より具体的には、所定の設定項目として、受信基地局設定又は待受設定を含み、半固定モードから携帯モードへ切り替える際に、受信基地局設定については、受信可能な基地局を自動で探知する旨の設定値に変更し、待受設定については、携帯モード時に受信できることが必要な基地局波を使用した通信だけを待ち受ける旨の設定値に変更する。
また、所定の設定項目として、不在設定又は着信音量設定を含み、半固定モードから携帯モードへ切り替える際に、不在設定については、不在でない旨の設定値に変更し、着信音量設定については、着信音量の中央値に変更する。
また、所定の設定項目として、バックライト設定又は送信出力設定を含み、半固定モードから携帯モードへ切り替える際に、バックライト設定については、使用時にオン、未使用時にオフに自動的に切り替える旨の設定値に変更し、送信出力設定については、所定の低レベルの送信出力値に変更する。
【００５５】
以上のような構成により、一方の動作モード時に設定したデータを他方の動作モードでも使用することが可能となるだけでなく、半固定モードと携帯モードで適切な設定値が異なる所定の設定項目については、各々の動作モードに適した設定値に自動的に変更することができる。したがって、携帯機が着脱可能な無線通信装置において動作モードを切り替える際のユーザ負担を低減することが可能となる。
【００５６】
ここで、本例では、半固定モードから携帯モードへの切り替え時に所定の設定項目について設定値を変更する処理を、携帯機３１０側（例えば、携帯機３１０の携帯管理部タスク）が行い、携帯モードから半固定モードへの切り替え時に所定の設定項目について前回の半固定モード時の設定値に戻す処理を、半固定本体部３２０側（例えば、半固定本体部３２０の携帯管理部タスク）が行うが、これは一例に過ぎない。すなわち、動作モードの切り替え時（携帯機３１０の着脱時）に所定の設定項目について設定値を変更又は復元する処理は、携帯機３１０又は半固定本体部３２０のどちらが制御しても構わない。
【００５７】
また、本例では、携帯モードから半固定モードへの切り替え時に、携帯機３１０が、半固定本体部３２０に移行させる設定値（携帯モード中に変更された設定値）を判別して半固定本体部３２０に送信することで、携帯機３１０から半固定本体部３２０へ送信するデータ量を抑えるようにしてある。なお、携帯モードから半固定モードへの切り替え時に、全ての設定値を携帯機３１０から半固定本体部３２０へ送信し、半固定本体部３２０が変更の有無を判定してメモリ３２２内の設定値を更新するよう構成しても構わない。
【００５８】
以下に、参考として、半固定モードから携帯モードへの切り替え時に変更する設定値を例示する。なお、半固定モード時の設定値を引き継ぐ設定項目については省略する。
［消費電力関連設定］
・バックライト設定（バックライトのＯＮ／ＯＦＦを設定する）：設定ＯＮとする。
・送信出力設定（ＬＯＷ／ＨＩＧＨの切り替えを設定する）：ＬＯＷとする。
［無線関連設定］
・待受設定（直接波の待受のＯＮ／ＯＦＦを設定する）：設定ＯＦＦとする。
・受信基地局設定（基地局通信のゾーンを固定／自動から設定する）：自動とする。
［ユーザ設定］
・マイク感度設定（マイク感度を設定する）：中央値とする。
・不在設定（不在設定のＯＮ／ＯＦＦを設定する）：設定ＯＦＦとする。
・キー操作音設定（キー操作音のＯＮ／ＯＦＦを設定する）：設定ＯＮとする。
・通話可能音設定（単信通信時の通話可能音のＯＮ／ＯＦＦを設定する）：設定ＯＮとする。
・スピーカ設定（携帯機のスピーカのＯＮ／ＯＦＦを設定する）：設定ＯＮとする。
・マイク設定（携帯機のマイクのＯＮ／ＯＦＦを設定する）：設定ＯＮとする。
・マナー設定（マナーのＯＮ／ＯＦＦを設定する）：設定ＯＦＦとする。
・バイブ設定（バイブのＯＮ／ＯＦＦを設定する）：設定ＯＦＦとする。
【００５９】
なお、本発明に係るシステムや装置などの構成としては、必ずしも以上に示したものに限られず、種々な構成が用いられてもよい。
また、本発明は、例えば、本発明に係る処理を実行する方法や方式、そのような方法や方式を実現するためのプログラム、そのプログラムを記憶する記憶媒体などとして提供することも可能である。
【産業上の利用可能性】
【００６０】
本発明は、携帯機が着脱可能な種々の形式の無線通信装置に利用することができる。
【符号の説明】
【００６１】
１００：半固定局、  １０１：無線部、  １０２：制御部、  １０３：ＣＰＵ、  １０４：メモリ、  １０５：操作部、  １０６：バッテリ、
２００：携帯機、  ２０１：無線部、  ２０２：制御部、  ２０３：ＣＰＵ、  ２０４：メモリ、  ２０５：操作部、  ２０６：バッテリ、
３００：脱着式固定局、  ３１０：携帯機、  ３１１：無線部、  ３１２：制御部、  ３１３：ＣＰＵ、  ３１４：メモリ、  ３１５：操作部、  ３１６：バッテリ、  ３２０：半固定本体部、  ３２１：ＣＰＵ、  ３２２：メモリ、  ３２３：操作部、  ３２４：バッテリ、
４０１：ＦＡＸ、  ４０２：電話機
【図１】
2018207266.tif 000003
【図２】
2018207266.tif 000004
【図３】
2018207266.tif 000005
【図４】
2018207266.tif 000006
【図５】
2018207266.tif 000007
【図６】
2018207266.tif 000008
【図７】
2018207266.tif 000009
【図８】
2018207266.tif 000010
【図９】
2018207266.tif 000011